(57)【要約】  第1の化粧箱蓋（1）と、第2の化粧箱蓋（2）と、携帯電話を把持して固定するための携帯電話トレー（3）と、有機レンズ（4）と、を含む携帯電話用化粧箱であって、第1の化粧箱蓋（1）又は第2の化粧箱蓋（2）に、観覧用の第1の孔と鼻よけ用の第2の孔が設けられ、有機レンズ（4）は、第1の孔が設けられた第1の化粧箱蓋（1）又は第2の化粧箱蓋（2）の、第1の孔に対応する位置に固定され、当該携帯電話用化粧箱は、コストが低いだけでなく、体験性に優れ、繰り返し使用することができる。
2019529261.tif 000002
【特許請求の範囲】
【請求項１】
第1の化粧箱蓋（1）と、第2の化粧箱蓋（2）と、携帯電話を把持して固定するための携帯電話トレー（3）と、バーチャルリアリティ（VR）用の有機レンズ（4）と、を含む身蓋式の携帯電話用化粧箱であって、
前記第1の化粧箱蓋（1）又は前記第2の化粧箱蓋（2）に、観覧用の第1の孔と鼻よけ用の第2の孔が設けられ、
前記有機レンズ（4）は、前記第1の孔が設けられた前記第1の化粧箱蓋（1）又は前記第2の化粧箱蓋（2）の、前記第1の孔に対応する位置に固定される、携帯電話用化粧箱。
【請求項２】
前記第1の孔が設けられた前記第1の化粧箱蓋（1）又は前記第2の化粧箱蓋（2）と、前記携帯電話トレー（3）との間において携帯電話を固定するための携帯電話位置決め固定板（5）をさらに含む、請求項１に記載の携帯電話用化粧箱。
【請求項３】
前記携帯電話位置決め固定板（5）は一片のボール紙である、請求項２に記載の携帯電話用化粧箱。
【請求項４】
前記第1の孔は二つで、前記第1の化粧箱蓋（1）の底部の中央位置にあり、前記第2の孔は前記第1の化粧箱蓋（1）の底部と側辺の交差位置にあり、二つの第1の孔と一つの第2の孔は人の目と鼻の逆三角形形状を構成し、
又は、
前記第1の孔は二つで、前記第2の化粧箱蓋（2）の底部の中央位置にあり、前記第2の孔は前記第2の化粧箱蓋（2）の底部と側辺の交差位置にあり、二つの第1の孔と一つの第2の孔は人の目と鼻の逆三角形形状を構成する、請求項１に記載の携帯電話用化粧箱。
【請求項５】
前記有機レンズ（4）はアレイ形であり、アレイの中央の接続部は接着剤の注入により、前記有機レンズ（4）を、前記第1の孔が設けられた前記第1の化粧箱蓋（1）又は前記第2の化粧箱蓋（2）の底部に接着させる、請求項４に記載の携帯電話用化粧箱。
【請求項６】
前記有機レンズ（4）は凸レンズである、請求項１に記載の携帯電話用化粧箱。
【請求項７】
前記有機レンズ（4）上に、前記第1の孔が設けられた前記第1の化粧箱蓋（1）又は前記第2の化粧箱蓋（2）の前記第1の孔及び前記第2の孔と孔形状が同一のシール（6）が裏打ちされる、請求項６に記載の携帯電話用化粧箱。
【請求項８】
前記シール（6）上に、展開された左右仕切り板（7）をさらに裏打ちし、前記左右仕切り板（7）の中央部分は、シール（6）につながり、前記有機レンズ（4）を使用するときに、前記左右仕切り板（7）の両辺を折り返し、前記左右仕切り板（7）の両辺の差込口を介してつなぐことで、前記第1の化粧箱蓋（1）又は前記第2の化粧箱蓋（2）の中央に立つ垂直仕切り板を形成するのに用いられる、請求項７に記載の携帯電話用化粧箱。
【請求項９】
前記身蓋式の携帯電話用化粧箱の材料は、ボール紙、プラスチック、ゴム、パルプモールド製品のうちの少なくとも一つである、請求項１に記載の携帯電話用化粧箱。
【請求項１０】
前記第1の化粧箱蓋（1）と前記第2の化粧箱蓋（2）からなる組み立て体をスリーブ式パッケージングするためのスリーブ（8）をさらに含む、請求項１〜９の何れか一項に記載の携帯電話用化粧箱。
【発明の詳細な説明】
【技術分野】
【０００１】
本実用新案は通信分野に関するものであり、具体的に、携帯電話用化粧箱に関するものである。
【背景技術】
【０００２】
関連技術において、バーチャルリアリティ（Virtual Reality、略称VR）メガネは独立した装置であり、ヘッドマウント式の独立した装置であってよく、簡易な、紙を折った組み立て形式を用いてもよい。
【０００３】
関連技術において、VRメガネは主に体験をメインとし、独立した装置を購入した場合はコストが高くつき、体験効果が良好でなければ無駄になる恐れがある。簡易な、紙を折った形式のVRメガネは、強度と効果がいずれも理想的ではなく、一時的な策として使用するほかない。
【０００４】
よって、関連技術においてVRメガネには、装置のコストが高い、又は体験が劣るという課題が存在する。
【発明の概要】
【課題を解決するための手段】
【０００５】
本実用新案の実施例は、関連技術においてVRメガネに存在する、装置のコストが高い、又は体験が劣るという課題を少なくとも解決するために、携帯電話用化粧箱を提供する。
【０００６】
本実用新案の一実施例では、第1の化粧箱蓋1と、第2の化粧箱蓋2と、携帯電話を把持して固定するための携帯電話トレー3と、バーチャルリアリティ（VR）用の有機レンズ4と、を含む身蓋式の携帯電話用化粧箱であって、前記第1の化粧箱蓋1又は前記第2の化粧箱蓋2に、観覧用の第1の孔と鼻よけ用の第2の孔が設けられ、前記有機レンズ4は、前記第1の孔が設けられた前記第1の化粧箱蓋1又は前記第2の化粧箱蓋2の、前記第1の孔に対応する位置に固定される携帯電話用化粧箱を提供する。
【０００７】
好ましくは、前記携帯電話用化粧箱は、前記第1の孔が設けられた前記第1の化粧箱蓋1又は前記第2の化粧箱蓋2と、前記携帯電話トレー3との間において携帯電話を固定するための携帯電話位置決め固定板5をさらに含む。
【０００８】
好ましくは、前記携帯電話位置決め固定板5は一片のボール紙である。
【０００９】
好ましくは、前記第1の孔は二つで、前記第1の化粧箱蓋1の底部の中央位置にあり、前記第2の孔は前記第1の化粧箱蓋1の底部と側辺の交差位置にあり、二つの第1の孔と一つの第2の孔は人の目と鼻の逆三角形形状を構成し、又は、前記第1の孔は二つで、前記第2の化粧箱蓋2の底部の中央位置にあり、前記第2の孔は前記第2の化粧箱蓋2の底部と側辺の交差位置にあり、二つの第1の孔と一つの第2の孔は人の目と鼻の逆三角形形状を構成する。
【００１０】
好ましくは、前記有機レンズ4はアレイ形であり、アレイの中央の接続部は接着剤の注入により、前記有機レンズ4を、前記第1の孔が設けられた前記第1の化粧箱蓋1又は前記第2の化粧箱蓋2の底部に接着させる。
【００１１】
好ましくは、前記有機レンズ4は凸レンズである。
【００１２】
好ましくは、前記有機レンズ4上に、前記第1の孔が設けられた前記第1の化粧箱蓋1又は前記第2の化粧箱蓋2の前記第1の孔及び前記第2の孔と孔形状が同一のシール6が裏打ちされる。
【００１３】
好ましくは、前記シール6上に、展開された左右仕切り板7をさらに裏打ちし、前記左右仕切り板7の中央部分は、シール6につながり、前記有機レンズ4を使用するときに、前記左右仕切り板7の両辺を折り返し、前記左右仕切り板7の両辺の差込口を介してつなぐことで、前記第1の化粧箱蓋1又は前記第2の化粧箱蓋2の中央に立つ垂直仕切り板を形成するのに用いられる。
【００１４】
好ましくは、前記身蓋式の携帯電話用化粧箱の材料は、ボール紙、プラスチック、ゴム、射出物、パルプモールド製品のうちの少なくとも一つである。
【００１５】
好ましくは、当該携帯電話用化粧箱は、前記第1の化粧箱蓋1と前記第2の化粧箱蓋2からなる組み立て体をスリーブ式パッケージングするためのスリーブ8をさらに含む。
【００１６】
本実用新案では、身蓋式の化粧箱に有機レンズ4を簡単に組み付けて、第2の化粧箱蓋2（又は第1の化粧箱蓋1）に観覧用の第1の孔と鼻よけ用の第2の孔を開け、簡単な組み立てによりVRメガネ装置へと変貌することができる上、携帯電話の補強機能として直接体験することができる。装置全体の構造が簡単であり、VRメガネで増えた付属品は、パッケージの体積を増やさず、組み立てと分解が便利である。組み立て後のVRメガネ装置は構造が頑丈で体験性に優れ、繰り返し使用することができる。
【００１７】
ここで説明する図面は、本実用新案をさらに理解するためのものであり、本考案の一部を構成する。本実用新案の例示的な実施例及びその説明は、本実用新案を解釈するために用いられ、本実用新案を不当に限定するものではない。
【図面の簡単な説明】
【００１８】
【図１】図1は本実用新案の実施例による携帯電話用化粧箱の模式図である。
【図２】図2は本実用新案の実施例による一般的な身蓋式の携帯電話用化粧箱の分解図である。
【図３】図3は本実用新案の実施例によるVRメガネ付属品を加えた携帯電話用化粧箱の分解図である。
【図４】図4は本実用新案の実施例によるVR観覧孔と鼻よけ孔の構造図である。
【図５】図5は本実用新案の実施例によるVRメガネ付属品-3D有機レンズの構造図である。
【図６】図6は本実用新案の実施例による3D有機レンズと第2の化粧箱蓋2の組み立て図である。
【図７】図7は本実用新案の3D有機レンズと第2の化粧箱蓋2の組み立て立体図である。
【図８】図8は本実用新案の実施例によるVRメガネ付属品-携帯電話位置決め固定板の構造図である。
【図９】図9は本実用新案の実施例によるVRメガネ装置の組み立て図である。
【図１０】図10は本実用新案の実施例によるVRメガネ装置を組み立てた後の断面図である。
【図１１】図11は本実用新案の実施例によるVRメガネ機能付きの化粧箱スリーブの模式図である。
【発明を実施するための形態】
【００１９】
以下では、図面を参照しながら実施例を組み合わせて本実用新案について詳細に説明する。なお、矛盾しない限り、本考案における実施例及び実施例における特徴は互いに組み合わせることが可能である。
【００２０】
また、本実用新案の明細書、実用新案登録請求の範囲、上記図面における「第1の」「第2の」などの用語は、類似する対象物を区別するためのものであって、特定の順序又は前後の順序を表しているのではない。
【００２１】
関連技術の上記課題を踏まえ、本実用新案の実施例では、化粧箱の以下の特徴を基に、VRメガネ付きの携帯電話用化粧箱を設計した。化粧箱は携帯電話販売の必需品であり、化粧箱が、部品を加えられた上、簡単な組み立てを経ることで、包装の役目を終えた後にさらにVRメガネ装置へと変貌すれば、一つのものが二つの用途を有することになり、体験を増やすだけでなくコストも節約できる。このほか、このようなVRメガネ機能付きの化粧箱は、環境保全の概念を体現しており、資源が節約でき、リサイクルにも貢献できる。
【００２２】
図1は本実用新案の実施例による携帯電話用化粧箱の模式図であり、図1に示すように、当該携帯電話用化粧箱は身蓋式の携帯電話用化粧箱であってよく、第1の化粧箱蓋1と、第2の化粧箱蓋2と、携帯電話を把持して固定するための携帯電話トレー3と、バーチャルリアリティ（VR）用の有機レンズ4と、を含み、第1の化粧箱蓋1又は第2の化粧箱蓋2に、観覧用の第1の孔と鼻よけ用の第2の孔が設けられ、有機レンズ4は、第1の孔が設けられた第1の化粧箱蓋1又は第2の化粧箱蓋2の、第1の孔に対応する位置に固定される。
【００２３】
上記構造によれば、身蓋式の化粧箱に有機レンズ4を簡単に組み付けて、第2の化粧箱蓋2（又は第1の化粧箱蓋1）に観覧用の第1の孔と鼻よけ用の第2の孔とを開け、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【００２４】
以下では、携帯電話のパッケージ全体を組み合わせて、本実用新案の実施例にて提供するVRメガネ機能付きの化粧箱について説明する。
【００２５】
図2は本実用新案の実施例による一般的な身蓋式の携帯電話用化粧箱の分解図であり、図2に示すように、第1の化粧箱蓋1、説明書ケース9、携帯電話トレー3、充電器ケース10、データケーブルケース11、イヤホンケース12、第2の化粧箱蓋2を含む。図示した上から下への順序に従って嵌め合わせて携帯電話用化粧箱を形成し、そのうちの第1の化粧箱蓋1と説明書ケース2はボール紙箱構造である。
【００２６】
上記一般的な身蓋式携帯電話用化粧箱を基にしてVRメガネ付属品を加える。図3は本実用新案の実施例によるVRメガネ付属品を加えた携帯電話用化粧箱の分解図であり、図3に示すように、第1の化粧箱蓋1、説明書ケース9、携帯電話トレー3、充電器ケース10、データケーブルケース11、イヤホンケース12、第2の化粧箱蓋2を含む。追加するVRメガネ付属品は、携帯電話位置決め板5と有機レンズ4である。また、第2の化粧箱蓋2において、観覧孔（つまり、上記第1の孔）を二つ、鼻よけ孔（つまり、上記第2の孔）を一つ開ける（詳細は図4、図5、図6を参照）。追加するVRメガネ付属品、観覧孔、鼻よけ孔は、VRメガネ装置として組み立てるためになす準備である。
【００２７】
好ましくは、前記第1の孔は二つで、前記第1の化粧箱蓋1の底部の中央位置にあり、前記第2の孔は前記第1の化粧箱蓋1の底部と側辺の交差位置にあり、二つの第1の孔と一つの第2の孔は人の目と鼻の逆三角形形状を構成し、又は、前記第1の孔は二つで、前記第2の化粧箱蓋2の底部の中央位置にあり、前記第2の孔は前記第2の化粧箱蓋2の底部と側辺の交差位置にあり、二つの第1の孔と一つの第2の孔は人の目と鼻の逆三角形形状を構成する。図4は本実用新案の実施例によるVR観覧孔と鼻よけ孔の構造図であり、図4に示すように、二つの円形のものは観覧孔で、第2の化粧箱蓋2の底部の中央位置に設けられ、ボール紙がすべて切り抜かれる。鼻の形をしたものは鼻よけ孔で、第2の化粧箱蓋2の底部と側辺の交差位置に設けられ、ボール紙がすべて切り抜かれる。
【００２８】
そのうち、当該有機レンズ4は、中央が厚く周囲が薄いレンズ（例えば凸レンズ）であってよい。当該有機レンズ4はアレイ形であってよく、アレイの中央の接続部は接着剤の注入により、有機レンズ4を、前記第1の孔が設けられた前記第1の化粧箱蓋1又は前記第2の化粧箱蓋2の底部に接着させる。図5は本実用新案の実施例によるVRメガネ付属品-3D有機レンズの構造図であり、図5に示すように、VRレンズ付属品には3D有機レンズが一枚含まれ、例えばアレイ形であってよく、両辺のガラスレンズ構造の中央は厚く、周囲は薄い。
【００２９】
安定性をさらに高めるために、有機レンズ4上に、第1の孔が設けられた第1の化粧箱蓋1又は第2の化粧箱蓋2の第1の孔及び第2の孔と孔形状が同一のシール6が裏打ちされてもよい。
【００３０】
好ましくは、左右の画面分割効果を確保するために、化粧箱内の中央において垂直に立つ、折りたたみ可能な仕切り板をさらに加えてもよく、即ち、シール6上に、展開された左右仕切り板7がさらに裏打ちされ、当該左右仕切り板7の中央部分は、シール6につながり、有機レンズ4を使用するときに、左右仕切り板7の両辺を折り返し、左右仕切り板7の両辺の差込口を介してつなぐことで、第1の化粧箱蓋1又は第2の化粧箱蓋2の中央に立つ垂直仕切り板を形成するのに用いられてもよい。
【００３１】
図6は本実用新案の実施例による3D有機レンズ（つまり、上記有機レンズ4）と第2の化粧箱蓋2の組み立て図であり、図6に示すように、3D有機レンズは接着剤の注入により前記第2の化粧箱蓋2内側の底部に貼り付けられ、中央が厚く、周辺が薄い二枚のレンズと第2の化粧箱蓋2の円孔位置が対応し、中央位置と第2の化粧箱蓋2内側の底部に接着剤が注入される。上面に、第2の化粧箱蓋2の孔と形状が同一のシール6をさらに裏打ちし、シール6上に、展開された左右仕切り板7をさらに裏打ちし、左右仕切り板7は中央部分のみがシール6とつながり、両辺はVR装置として使用する際に折り曲げる必要があり、差し込み口を介してつなぐことで、第2の化粧箱蓋2の中央に立つ垂直仕切り板を形成する。図7は本実用新案の3D有機レンズと第2の化粧箱蓋2の組み立て立体図であり、図7に示すとおりである。
【００３２】
良好に携帯電話を位置決めするために、当該携帯電話用化粧箱は、第1の孔が設けられた第1の化粧箱蓋1又は第2の化粧箱蓋2と、携帯電話トレー3との間において携帯電話を固定するための携帯電話位置決め固定板5をさらに設けてもよい。好ましくは、当該携帯電話位置決め固定板5は一片のボール紙であってよい。
【００３３】
図8は本実用新案の実施例によるVRメガネ付属品-携帯電話位置決め固定板の構造図であり、図8に示すように、携帯電話位置決め板5は第1の化粧箱蓋1と内寸が同一の同様のボール紙で、中央部分は携帯電話の画面の大きさに合わせて切り抜かれており、この固定板は携帯電話を固定するためのものであって、VRメガネの使用中において位置決めの役割を果たす。
【００３４】
図9は本実用新案の実施例によるVRメガネ装置の組み立て図であり、図9に示すように携帯電話用化粧箱が包装の役目を終えた後に、VRメガネ装置として組み立てることが可能であり、必要な部品は、第1の化粧箱蓋1、携帯電話トレー3、携帯電話位置決め板5、第2の化粧箱蓋2、有機レンズ4、携帯電話13を含む。このとき、第2の化粧箱蓋2と有機レンズ4は既に組み付けが完了しており、携帯電話13を携帯電話トレー3に置く必要がある。なお、当該第1の化粧箱蓋1と第2の化粧箱蓋2は挟んで動くものであり、VRメガネ装置の使用過程において、両者は互いに動いてよく、VRメガネ装置に対する人の目の焦点調節動作を実現する。
【００３５】
図10は本実用新案の実施例によるVRメガネ装置を組み立てた後の断面図であり、図10に示すように、図9の順序に従ってVRメガネ装置の組み立てが完了した後、すべての付属品を一緒に圧着して、使用可能なVRメガネとする。このとき、携帯電話13を有する携帯電話トレー3は第1の化粧箱蓋1内に位置し、上に位置するのは携帯電話位置決め板5であり、携帯電話13を押し付けて携帯電話の画面を露出させ、有機レンズ4の第2の化粧箱蓋2を携帯電話位置決め板5に押し付けて、完全なVRメガネ装置が組み立てられる。
【００３６】
好ましくは、パッケージの完全性（孔の開いた下蓋がパッケージの最も外側に露出しないように）を確保するために、第1の化粧箱蓋1と第2の化粧箱蓋2からなる組み立て体をスリーブ式パッケージングするためのスリーブ8をさらに含む。図11は本実用新案の実施例によるVRメガネ機能付きの化粧箱のスリーブ式パッケージングの模式図であり、図11に示すとおり、スリーブ8を加え、第1の化粧箱蓋1と第2の化粧箱蓋2の組立が完了した後にスリーブ8にさらに挿入し、完全な、VRメガネ機能付きの化粧箱が組み立てられる。
【００３７】
なお、身蓋式の携帯電話用化粧箱の材料は、ボール紙、射出物、パルプモールドのうちの少なくとも一つである。即ち、化粧箱本体は身蓋式のボール紙化粧箱のほか、その他の材質（例えば、ボール紙、プラスチック、ゴム、パルプモールド製品）又はその他の構造であってもよく、つまり、紙を折りたたんでなした身蓋式の構造であってよく、射出物、パルプモールド又はその他の製作技術を用いてなした身蓋式の構造であってもよい。要するに、パッケージの上下の蓋が変化する組み立てによって（観覧孔と鼻よけは下蓋に設けてもよく、上蓋に設けてもよい）、必要な付属品をいくつか加えることでVRメガネ装置へと変貌するものはすべて本考案の範囲内にある。
【００３８】
上記身蓋式化粧箱（例えばボール紙）は、携帯電話用化粧箱の機能をすべて備える。これを基にレンズ、携帯電話位置決め板などの付属品を追加し、第2の化粧箱蓋7（又は第1の化粧箱蓋1）において、レンズを貼り付けるための観覧孔を開けて、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【００３９】
当業者にとっては明らかであろうが、上記の本実用新案の各モジュール又は各ステップは、汎用のコンピュータ装置にて実現してもよく、これらは一つのコンピュータ装置上に集積するか、又は複数のコンピュータ装置からなるネットワーク上に分散させてもよく、任意で、コンピュータ装置によって実行可能なプログラムコードにより実現してもよく、さらには、これらを記憶装置に格納してコンピュータによって実行させてもよい。また、ある状況下においては、ここでの順序とは異なる順序で、提示又は説明したステップを実行してよく、又はこれらを各集積回路モジュールとしてそれぞれ製作するか、又はこれらのうちの複数のモジュール或いはステップを一つの集積回路モジュールとして製作することで実現してもよい。したがって、本実用新案はいかなる特定のハードウェアとソフトウェアの組み合わせにも限定されない。
【００４０】
以上は本実用新案の好適な実施例にすぎず、本実用新案を限定するものではない。当業者は、本実用新案に各種改変及び変更を加えることが可能である。本実用新案の精神と原則の範囲内においてなされたあらゆる修正、均等な置き換え、改善などはすべて本実用新案の保護範囲に含まれる。
【産業上の利用可能性】
【００４１】
上記の実施例及び好適な実施の形態では、身蓋式の化粧箱に有機レンズ4を簡単に組み付けて、第2の化粧箱蓋2（又は第1の化粧箱蓋1）に観覧用の第1の孔と鼻よけ用の第2の孔を開け、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【図１】
2019529261.tif 000003
【図２】
2019529261.tif 000004
【図３】
2019529261.tif 000005
【図４】
2019529261.tif 000006
【図５】
2019529261.tif 000007
【図６】
2019529261.tif 000008
【図７】
2019529261.tif 000009
【図８】
2019529261.tif 000010
【図９】
2019529261.tif 000011
【図１０】
2019529261.tif 000012
【図１１】
2019529261.tif 000013
【手続補正書】
【提出日】平成31年3月12日(2019.3.12)
【手続補正１】
【補正対象書類名】明細書
【補正対象項目名】全文
【補正方法】変更
【補正の内容】
【発明の詳細な説明】
【技術分野】
【０００１】
本願は通信分野に関するものであり、具体的に、携帯電話用化粧箱に関するものである。
【背景技術】
【０００２】
関連技術において、バーチャルリアリティ（Virtual Reality、略称VR）メガネは独立した装置であり、ヘッドマウント式の独立した装置であってよく、簡易な、紙を折った組み立て形式を用いてもよい。
【０００３】
関連技術において、VRメガネは主に体験をメインとし、独立した装置を購入した場合はコストが高くつき、体験効果が良好でなければ無駄になる恐れがある。簡易な、紙を折った形式のVRメガネは、強度と効果がいずれも理想的ではなく、一時的な策として使用するほかない。
【０００４】
よって、関連技術においてVRメガネには、装置のコストが高い、又は体験が劣るという課題が存在する。
【発明の概要】
【課題を解決するための手段】
【０００５】
本願の実施例は、関連技術においてVRメガネに存在する、装置のコストが高い、又は体験が劣るという課題を少なくとも解決するために、携帯電話用化粧箱を提供する。
【０００６】
本願の一実施例では、第1の化粧箱蓋1と、第2の化粧箱蓋2と、携帯電話を把持して固定するための携帯電話トレー3と、バーチャルリアリティ（VR）用の有機レンズ4と、を含む身蓋式の携帯電話用化粧箱であって、前記第1の化粧箱蓋1又は前記第2の化粧箱蓋2に、観覧用の第1の孔と鼻よけ用の第2の孔が設けられ、前記有機レンズ4は、前記第1の孔が設けられた前記第1の化粧箱蓋1又は前記第2の化粧箱蓋2の、前記第1の孔に対応する位置に固定される携帯電話用化粧箱を提供する。
【０００７】
好ましくは、前記携帯電話用化粧箱は、前記第1の孔が設けられた前記第1の化粧箱蓋1又は前記第2の化粧箱蓋2と、前記携帯電話トレー3との間において携帯電話を固定するための携帯電話位置決め固定板5をさらに含む。
【０００８】
好ましくは、前記携帯電話位置決め固定板5は一片のボール紙である。
【０００９】
好ましくは、前記第1の孔は二つで、前記第1の化粧箱蓋1の底部の中央位置にあり、前記第2の孔は前記第1の化粧箱蓋1の底部と側辺の交差位置にあり、二つの第1の孔と一つの第2の孔は人の目と鼻の逆三角形形状を構成し、又は、前記第1の孔は二つで、前記第2の化粧箱蓋2の底部の中央位置にあり、前記第2の孔は前記第2の化粧箱蓋2の底部と側辺の交差位置にあり、二つの第1の孔と一つの第2の孔は人の目と鼻の逆三角形形状を構成する。
【００１０】
好ましくは、前記有機レンズ4はアレイ形であり、アレイの中央の接続部は接着剤の注入により、前記有機レンズ4を、前記第1の孔が設けられた前記第1の化粧箱蓋1又は前記第2の化粧箱蓋2の底部に接着させる。
【００１１】
好ましくは、前記有機レンズ4は凸レンズである。
【００１２】
好ましくは、前記有機レンズ4上に、前記第1の孔が設けられた前記第1の化粧箱蓋1又は前記第2の化粧箱蓋2の前記第1の孔及び前記第2の孔と孔形状が同一のシール6が裏打ちされる。
【００１３】
好ましくは、前記シール6上に、展開された左右仕切り板7をさらに裏打ちし、前記左右仕切り板7の中央部分は、シール6につながり、前記有機レンズ4を使用するときに、前記左右仕切り板7の両辺を折り返し、前記左右仕切り板7の両辺の差込口を介してつなぐことで、前記第1の化粧箱蓋1又は前記第2の化粧箱蓋2の中央に立つ垂直仕切り板を形成するのに用いられる。
【００１４】
好ましくは、前記身蓋式の携帯電話用化粧箱の材料は、ボール紙、プラスチック、ゴム、射出物、パルプモールド製品のうちの少なくとも一つである。
【００１５】
好ましくは、当該携帯電話用化粧箱は、前記第1の化粧箱蓋1と前記第2の化粧箱蓋2からなる組み立て体をスリーブ式パッケージングするためのスリーブ8をさらに含む。
【００１６】
本願では、身蓋式の化粧箱に有機レンズ4を簡単に組み付けて、第2の化粧箱蓋2（又は第1の化粧箱蓋1）に観覧用の第1の孔と鼻よけ用の第2の孔を開け、簡単な組み立てによりVRメガネ装置へと変貌することができる上、携帯電話の補強機能として直接体験することができる。装置全体の構造が簡単であり、VRメガネで増えた付属品は、パッケージの体積を増やさず、組み立てと分解が便利である。組み立て後のVRメガネ装置は構造が頑丈で体験性に優れ、繰り返し使用することができる。
【００１７】
ここで説明する図面は、本願をさらに理解するためのものであり、本発明の一部を構成する。本願の例示的な実施例及びその説明は、本願を解釈するために用いられ、本願を不当に限定するものではない。
【図面の簡単な説明】
【００１８】
【図１】図1は本願の実施例による携帯電話用化粧箱の模式図である。
【図２】図2は本願の実施例による一般的な身蓋式の携帯電話用化粧箱の分解図である。
【図３】図3は本願の実施例によるVRメガネ付属品を加えた携帯電話用化粧箱の分解図である。
【図４】図4は本願の実施例によるVR観覧孔と鼻よけ孔の構造図である。
【図５】図5は本願の実施例によるVRメガネ付属品-3D有機レンズの構造図である。
【図６】図6は本願の実施例による3D有機レンズと第2の化粧箱蓋2の組み立て図である。
【図７】図7は本願の3D有機レンズと第2の化粧箱蓋2の組み立て立体図である。
【図８】図8は本願の実施例によるVRメガネ付属品-携帯電話位置決め固定板の構造図である。
【図９】図9は本願の実施例によるVRメガネ装置の組み立て図である。
【図１０】図10は本願の実施例によるVRメガネ装置を組み立てた後の断面図である。
【図１１】図11は本願の実施例によるVRメガネ機能付きの化粧箱スリーブの模式図である。
【発明を実施するための形態】
【００１９】
以下では、図面を参照しながら実施例を組み合わせて本願について詳細に説明する。なお、矛盾しない限り、本発明における実施例及び実施例における特徴は互いに組み合わせることが可能である。
【００２０】
また、本願の明細書、特許請求の範囲、上記図面における「第1の」「第2の」などの用語は、類似する対象物を区別するためのものであって、特定の順序又は前後の順序を表しているのではない。
【００２１】
関連技術の上記課題を踏まえ、本願の実施例では、化粧箱の以下の特徴を基に、VRメガネ付きの携帯電話用化粧箱を設計した。化粧箱は携帯電話販売の必需品であり、化粧箱が、部品を加えられた上、簡単な組み立てを経ることで、包装の役目を終えた後にさらにVRメガネ装置へと変貌すれば、一つのものが二つの用途を有することになり、体験を増やすだけでなくコストも節約できる。このほか、このようなVRメガネ機能付きの化粧箱は、環境保全の概念を体現しており、資源が節約でき、リサイクルにも貢献できる。
【００２２】
図1は本願の実施例による携帯電話用化粧箱の模式図であり、図1に示すように、当該携帯電話用化粧箱は身蓋式の携帯電話用化粧箱であってよく、第1の化粧箱蓋1と、第2の化粧箱蓋2と、携帯電話を把持して固定するための携帯電話トレー3と、バーチャルリアリティ（VR）用の有機レンズ4と、を含み、第1の化粧箱蓋1又は第2の化粧箱蓋2に、観覧用の第1の孔と鼻よけ用の第2の孔が設けられ、有機レンズ4は、第1の孔が設けられた第1の化粧箱蓋1又は第2の化粧箱蓋2の、第1の孔に対応する位置に固定される。
【００２３】
上記構造によれば、身蓋式の化粧箱に有機レンズ4を簡単に組み付けて、第2の化粧箱蓋2（又は第1の化粧箱蓋1）に観覧用の第1の孔と鼻よけ用の第2の孔とを開け、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【００２４】
以下では、携帯電話のパッケージ全体を組み合わせて、本願の実施例にて提供するVRメガネ機能付きの化粧箱について説明する。
【００２５】
図2は本願の実施例による一般的な身蓋式の携帯電話用化粧箱の分解図であり、図2に示すように、第1の化粧箱蓋1、説明書ケース9、携帯電話トレー3、充電器ケース10、データケーブルケース11、イヤホンケース12、第2の化粧箱蓋2を含む。図示した上から下への順序に従って嵌め合わせて携帯電話用化粧箱を形成し、そのうちの第1の化粧箱蓋1と説明書ケース2はボール紙箱構造である。
【００２６】
上記一般的な身蓋式携帯電話用化粧箱を基にしてVRメガネ付属品を加える。図3は本願の実施例によるVRメガネ付属品を加えた携帯電話用化粧箱の分解図であり、図3に示すように、第1の化粧箱蓋1、説明書ケース9、携帯電話トレー3、充電器ケース10、データケーブルケース11、イヤホンケース12、第2の化粧箱蓋2を含む。追加するVRメガネ付属品は、携帯電話位置決め板5と有機レンズ4である。また、第2の化粧箱蓋2において、観覧孔（つまり、上記第1の孔）を二つ、鼻よけ孔（つまり、上記第2の孔）を一つ開ける（詳細は図4、図5、図6を参照）。追加するVRメガネ付属品、観覧孔、鼻よけ孔は、VRメガネ装置として組み立てるためになす準備である。
【００２７】
好ましくは、前記第1の孔は二つで、前記第1の化粧箱蓋1の底部の中央位置にあり、前記第2の孔は前記第1の化粧箱蓋1の底部と側辺の交差位置にあり、二つの第1の孔と一つの第2の孔は人の目と鼻の逆三角形形状を構成し、又は、前記第1の孔は二つで、前記第2の化粧箱蓋2の底部の中央位置にあり、前記第2の孔は前記第2の化粧箱蓋2の底部と側辺の交差位置にあり、二つの第1の孔と一つの第2の孔は人の目と鼻の逆三角形形状を構成する。図4は本願の実施例によるVR観覧孔と鼻よけ孔の構造図であり、図4に示すように、二つの円形のものは観覧孔で、第2の化粧箱蓋2の底部の中央位置に設けられ、ボール紙がすべて切り抜かれる。鼻の形をしたものは鼻よけ孔で、第2の化粧箱蓋2の底部と側辺の交差位置に設けられ、ボール紙がすべて切り抜かれる。
【００２８】
そのうち、当該有機レンズ4は、中央が厚く周囲が薄いレンズ（例えば凸レンズ）であってよい。当該有機レンズ4はアレイ形であってよく、アレイの中央の接続部は接着剤の注入により、有機レンズ4を、前記第1の孔が設けられた前記第1の化粧箱蓋1又は前記第2の化粧箱蓋2の底部に接着させる。図5は本願の実施例によるVRメガネ付属品-3D有機レンズの構造図であり、図5に示すように、VRレンズ付属品には3D有機レンズが一枚含まれ、例えばアレイ形であってよく、両辺のガラスレンズ構造の中央は厚く、周囲は薄い。
【００２９】
安定性をさらに高めるために、有機レンズ4上に、第1の孔が設けられた第1の化粧箱蓋1又は第2の化粧箱蓋2の第1の孔及び第2の孔と孔形状が同一のシール6が裏打ちされてもよい。
【００３０】
好ましくは、左右の画面分割効果を確保するために、化粧箱内の中央において垂直に立つ、折りたたみ可能な仕切り板をさらに加えてもよく、即ち、シール6上に、展開された左右仕切り板7がさらに裏打ちされ、当該左右仕切り板7の中央部分は、シール6につながり、有機レンズ4を使用するときに、左右仕切り板7の両辺を折り返し、左右仕切り板7の両辺の差込口を介してつなぐことで、第1の化粧箱蓋1又は第2の化粧箱蓋2の中央に立つ垂直仕切り板を形成するのに用いられてもよい。
【００３１】
図6は本願の実施例による3D有機レンズ（つまり、上記有機レンズ4）と第2の化粧箱蓋2の組み立て図であり、図6に示すように、3D有機レンズは接着剤の注入により前記第2の化粧箱蓋2内側の底部に貼り付けられ、中央が厚く、周辺が薄い二枚のレンズと第2の化粧箱蓋2の円孔位置が対応し、中央位置と第2の化粧箱蓋2内側の底部に接着剤が注入される。上面に、第2の化粧箱蓋2の孔と形状が同一のシール6をさらに裏打ちし、シール6上に、展開された左右仕切り板7をさらに裏打ちし、左右仕切り板7は中央部分のみがシール6とつながり、両辺はVR装置として使用する際に折り曲げる必要があり、差し込み口を介してつなぐことで、第2の化粧箱蓋2の中央に立つ垂直仕切り板を形成する。図7は本願の3D有機レンズと第2の化粧箱蓋2の組み立て立体図であり、図7に示すとおりである。
【００３２】
良好に携帯電話を位置決めするために、当該携帯電話用化粧箱は、第1の孔が設けられた第1の化粧箱蓋1又は第2の化粧箱蓋2と、携帯電話トレー3との間において携帯電話を固定するための携帯電話位置決め固定板5をさらに設けてもよい。好ましくは、当該携帯電話位置決め固定板5は一片のボール紙であってよい。
【００３３】
図8は本願の実施例によるVRメガネ付属品-携帯電話位置決め固定板の構造図であり、図8に示すように、携帯電話位置決め板5は第1の化粧箱蓋1と内寸が同一の同様のボール紙で、中央部分は携帯電話の画面の大きさに合わせて切り抜かれており、この固定板は携帯電話を固定するためのものであって、VRメガネの使用中において位置決めの役割を果たす。
【００３４】
図9は本願の実施例によるVRメガネ装置の組み立て図であり、図9に示すように携帯電話用化粧箱が包装の役目を終えた後に、VRメガネ装置として組み立てることが可能であり、必要な部品は、第1の化粧箱蓋1、携帯電話トレー3、携帯電話位置決め板5、第2の化粧箱蓋2、有機レンズ4、携帯電話13を含む。このとき、第2の化粧箱蓋2と有機レンズ4は既に組み付けが完了しており、携帯電話13を携帯電話トレー3に置く必要がある。なお、当該第1の化粧箱蓋1と第2の化粧箱蓋2は挟んで動くものであり、VRメガネ装置の使用過程において、両者は互いに動いてよく、VRメガネ装置に対する人の目の焦点調節動作を実現する。
【００３５】
図10は本願の実施例によるVRメガネ装置を組み立てた後の断面図であり、図10に示すように、図9の順序に従ってVRメガネ装置の組み立てが完了した後、すべての付属品を一緒に圧着して、使用可能なVRメガネとする。このとき、携帯電話13を有する携帯電話トレー3は第1の化粧箱蓋1内に位置し、上に位置するのは携帯電話位置決め板5であり、携帯電話13を押し付けて携帯電話の画面を露出させ、有機レンズ4の第2の化粧箱蓋2を携帯電話位置決め板5に押し付けて、完全なVRメガネ装置が組み立てられる。
【００３６】
好ましくは、パッケージの完全性（孔の開いた下蓋がパッケージの最も外側に露出しないように）を確保するために、第1の化粧箱蓋1と第2の化粧箱蓋2からなる組み立て体をスリーブ式パッケージングするためのスリーブ8をさらに含む。図11は本願の実施例によるVRメガネ機能付きの化粧箱のスリーブ式パッケージングの模式図であり、図11に示すとおり、スリーブ8を加え、第1の化粧箱蓋1と第2の化粧箱蓋2の組立が完了した後にスリーブ8にさらに挿入し、完全な、VRメガネ機能付きの化粧箱が組み立てられる。
【００３７】
なお、身蓋式の携帯電話用化粧箱の材料は、ボール紙、射出物、パルプモールドのうちの少なくとも一つである。即ち、化粧箱本体は身蓋式のボール紙化粧箱のほか、その他の材質（例えば、ボール紙、プラスチック、ゴム、パルプモールド製品）又はその他の構造であってもよく、つまり、紙を折りたたんでなした身蓋式の構造であってよく、射出物、パルプモールド又はその他の製作技術を用いてなした身蓋式の構造であってもよい。要するに、パッケージの上下の蓋が変化する組み立てによって（観覧孔と鼻よけは下蓋に設けてもよく、上蓋に設けてもよい）、必要な付属品をいくつか加えることでVRメガネ装置へと変貌するものはすべて本発明の範囲内にある。
【００３８】
上記身蓋式化粧箱（例えばボール紙）は、携帯電話用化粧箱の機能をすべて備える。これを基にレンズ、携帯電話位置決め板などの付属品を追加し、第2の化粧箱蓋7（又は第1の化粧箱蓋1）において、レンズを貼り付けるための観覧孔を開けて、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【００３９】
当業者にとっては明らかであろうが、上記の本願の各モジュール又は各ステップは、汎用のコンピュータ装置にて実現してもよく、これらは一つのコンピュータ装置上に集積するか、又は複数のコンピュータ装置からなるネットワーク上に分散させてもよく、任意で、コンピュータ装置によって実行可能なプログラムコードにより実現してもよく、さらには、これらを記憶装置に格納してコンピュータによって実行させてもよい。また、ある状況下においては、ここでの順序とは異なる順序で、提示又は説明したステップを実行してよく、又はこれらを各集積回路モジュールとしてそれぞれ製作するか、又はこれらのうちの複数のモジュール或いはステップを一つの集積回路モジュールとして製作することで実現してもよい。したがって、本願はいかなる特定のハードウェアとソフトウェアの組み合わせにも限定されない。
【００４０】
以上は本願の好適な実施例にすぎず、本願を限定するものではない。当業者は、本願に各種改変及び変更を加えることが可能である。本願の精神と原則の範囲内においてなされたあらゆる修正、均等な置き換え、改善などはすべて本願の保護範囲に含まれる。
【産業上の利用可能性】
【００４１】
上記の実施例及び好適な実施の形態では、身蓋式の化粧箱に有機レンズ4を簡単に組み付けて、第2の化粧箱蓋2（又は第1の化粧箱蓋1）に観覧用の第1の孔と鼻よけ用の第2の孔を開け、簡単な組み立てによりVRメガネ装置へと変貌することができる上、携帯電話の補強機能として直接体験することができる。装置全体の構造は簡単で、VRメガネで増えた付属品は、パッケージの体積を増やさず、組み立てと分解が便利である。組み立て後のVRメガネ装置は構造が頑丈で体験性に優れ、繰り返し使用することができる。
【国際調査報告】
2019529261.tif 000014
2019529261.tif 000015
2019529261.tif 000016
2019529261.tif 000017